(57)【特許請求の範囲】
【請求項１】
電力量計の端子蓋の表面に該表面を覆うようにして金属製の補強板を重合し、前記補強板に開設される段付螺子挿通孔を介して前記電力量計の端子部内に設けられた螺子孔に固定螺子を螺合することにより前記端子蓋に前記補強板を固着し、螺締めした前記固定螺子はその頭部が前記段付螺子挿通孔から表側へ突出しないようになっており、かつ、その頭部には取外防止手段が設けられていることを特徴とする電力量計における端子蓋の補強構造。
【請求項２】
電力量計の端子蓋の表面に該表面を覆うようにして金属製の補強板を重合し、前記補強板に開設される段付螺子挿通孔を介して前記電力量計の端子部内に設けられた螺子孔に固定螺子を螺合することにより前記端子蓋に前記補強板を固着し、螺締めした前記固定螺子はその頭部が前記段付螺子挿通孔から表側へ突出しないようになっており、かつ、その頭部には取外防止手段が設けられ、
前記補強板表面の長手方向に沿って前記固定螺子の頭部を隠すように金属製の一対の遮蔽金具を一直線上に並置し、前記各遮蔽金具の互いに隣接して向き合う一端縁に通孔を開設した立壁が重なるようにして立設されると共に、前記各遮蔽金具の他端縁に前記補強板の長手方向の両端縁部に穿設された係止溝に係止する係止片を設け、前記各遮蔽金具の係止片を前記補強板の係止溝に係止すると共に前記一方の遮蔽金具に開設された螺子挿通孔を介して該螺子挿通孔と連通し前記補強板に設けられる螺子孔に螺子を螺合し、前記螺合した螺子の頭部を隠すようにして前記重なる両立壁に被せ式の防犯錠を被着し施錠するようにしたことを特徴とする電力量計における端子蓋の補強構造。
【発明の詳細な説明】
【技術分野】
【０００１】
本発明は、電力量計の端子蓋を故意に開けて電力を勝手に使用するという不正行為を防止するようにした電力量計における端子蓋の補強構造に関するものである。
【背景技術】
【０００２】
通常、電力量計は、計器本体の下端に電線の接続部となる端子部が設けられている。該端子部は表面が開放される箱枠状に形成されると共に、その表面に端子蓋が嵌着される。詳しくは、該端子蓋に螺子挿通孔が開設され、表側から該螺子挿通孔を介して端子部内に設けられた螺子孔にいわゆる封印螺子を螺合している。また、端子蓋を故意にこじ開けて不正行為が行なわれた場合、その不正行為が行なわれたことがつぶさに解るようにしてその不正行為を抑止しようとする狙いから、前記封印螺子の頭部に外力が加えられた場合に、容易に破断し易い構成からなる合成樹脂製の封印具を嵌着するようにしている（例えば、特許文献１参照。）。
【０００３】
【特許文献１】特開２００７−１８７５１７号公報（第３−４頁、図５、図６）
【発明の開示】
【発明が解決しようとする課題】
【０００４】
しかしながら、前記特許文献１の電力量計にあっては、封印螺子の頭部に封印具を嵌着することにより不正行為に対する抑止効果を狙うようにしているが、中には、前記封印具を破壊して勝手に端子蓋をこじ開け無断で不正行為を行い、後でそれを否定するといった者が出現している。このような行為は現場で発見することが難しく、その解決策を見つけるに苦慮しているのが現状である。
【０００５】
そこで、本発明は上記課題に鑑みてなされたもので、端子蓋の表面を厳重に被覆することにより、できるかぎり端子蓋が勝手にこじ開けられないようにして不正行為を防止するようにした電力量計における端子蓋の補強構造を提供することを目的とするものである。
【課題を解決するための手段】
【０００６】
かかる目的を達成するため本発明の電力量計における端子蓋の補強構造は、電力量計の端子蓋の表面に該表面を覆うようにして金属製の補強板を重合し、前記補強板に開設される段付螺子挿通孔を介して前記電力量計の端子部内に設けられた螺子孔に固定螺子を螺合することにより前記端子蓋に前記補強板を固着し、螺締めした前記固定螺子はその頭部が前記段付螺子挿通孔から表側へ突出しないようになっており、かつ、その頭部には取外防止手段が設けられていることを特徴とする。
【０００７】
電力量計の端子蓋の表面に該表面を覆うようにして金属製の補強板を重合し、前記補強板に開設される段付螺子挿通孔を介して前記電力量計の端子部内に設けられた螺子孔に固定螺子を螺合することにより前記端子蓋に前記補強板を固着し、螺締めした前記固定螺子はその頭部が前記段付螺子挿通孔から表側へ突出しないようになっており、かつ、その頭部には取外防止手段が設けられ、前記補強板表面の長手方向に沿って前記固定螺子の頭部を隠すように金属製の一対の遮蔽金具を一直線上に並置し、前記各遮蔽金具の互いに隣接して向き合う一端縁に通孔を開設した立壁が重なるようにして立設されると共に、前記各遮蔽金具の他端縁に前記補強板の長手方向の両端縁部に穿設された係止溝に係止する係止片を設け、前記各遮蔽金具の係止片を前記補強板の係止溝に係止すると共に前記一方の遮蔽金具に開設された螺子挿通孔を介して該螺子挿通孔と連通し前記補強板に設けられる螺子孔に螺子を螺合し、前記螺合した螺子の頭部を隠すようにして前記重なる両立壁に被せ式の防犯錠を被着し施錠するようにしたことを特徴とする。
この際、前記各遮蔽金具における立壁と係止片との間の側縁に、補強板側へ屈曲する覆い壁を設けるようにすることが好ましい。
【発明の効果】
【０００８】
請求項１に係る電力量計における端子蓋の補強構造は、電力量計の端子蓋の表面に該表面を覆うようにして金属製の補強板を重合し、該補強板に開設される段付螺子挿通孔を介して電力量計の端子部内に設けられた螺子孔に固定螺子を螺合することにより端子蓋に補強板を固着し、螺締めした固定螺子はその頭部が螺子挿通孔から表側へ突出しないようにし、かつ、その頭部には取外防止手段が設けられている。よって、端子蓋の表面が補強板により覆われて保護される。しかも、固定螺子には取外防止手段が設けられ、常態では通常のドライバーによって固定螺子が取り外せなくなっている。これにより、端子蓋を故意にこじ開けることが困難となり、不正行為が防止される。
【０００９】
請求項２に係る電力量計における端子蓋の補強構造は、前記請求項１の構成に加え、補強板表面の長手方向に沿って固定螺子の頭部を隠すように金属製の一対の遮蔽金具を一直線上に並置し、各遮蔽金具の互いに隣接して向き合う一端縁に通孔を開設した立壁が重なるようにして立設されると共に、各遮蔽金具の他端縁に補強板の長手方向の両端縁部に穿設された係止溝に係止する係止片を設け、各遮蔽金具の係止片を補強板の係止溝に係止すると共に一方の遮蔽金具に開設された螺子挿通孔を介して該螺子挿通孔と連通し補強板に設けられる螺子孔に螺子を螺合し、螺合した螺子の頭部を隠すようにして重なる両立壁に被せ式の防犯錠を被着し施錠するようにしている。よって、端子蓋の表面が補強板及び遮蔽金具により多重に覆われて保護される。このように、二重に保護されることから、保護強化が増大され端子蓋を故意にこじ開けることが一層困難となり、これにより不正行為防止効果が向上する。
【発明を実施するための最良の形態】
【００１０】
以下、本発明に係る電力量計における端子蓋の補強構造（以下、単に「補強構造」という。）の実施の形態を図面に基づき詳しく説明する。図１は第一実施の形態に係る発明が適用される電力量計の斜視図、図２は同分解斜視図、図３は同要部の側面断面図、図４（イ）（ロ）は固定螺子の斜視図である。
【００１１】
次に、第一実施の形態に係る発明を説明する。電力量計Ｄは、計器本体３０の前面が透明なカバー部材３１により被着されており、該計器本体３０の下端が電線を接続するための箱枠状の端子部３２となっている。該端子部３２はその前面が開放され、その前面に端子蓋３３が着脱自在に被着されている。図２に示すように、該端子蓋３３には、その左右二箇所に螺子挿通孔３４，３４が開設される。これら螺子挿通孔３４，３４は、図３に示すように位置的に端子部３２内に設けられた螺子孔３５，３５と一致しており、各螺子孔３５，３５に図示しない封印螺子が螺合されるようになっている。ただし、第二実施の形態に係る発明も同じであるが、第一実施の形態では、封印螺子を使用することはない。
【００１２】
また、端子蓋３３の表面には、その両側に前記各螺子挿通孔３４の近傍に位置させて表側へ突出する切起し部３６，３６が設けられる。これは、前記封印螺子の回転を防止するためのものであって、これら切起し部３６，３６も使用しない。更に、切起し部３６，３６の反対側の側縁に沿って該側縁と平行な凸条３７が設けられる。この凸条３７と切起し部３６，３６とは、同じ高さ寸法に設定される。
【００１３】
図２において、１は端子蓋３３の表面に該表面を覆うようにして重合される補強板である。該補強板１は、通常、アルミニウム合金製又はステンレス製であって、端子蓋３３よりも一回り大きい長方形状に形成され、天板１ａの一側縁（カバー部材側）を除いて他の周囲三側縁に側板１ｂが周設されている。また、厚みは例えば２．５ｍｍに設定される。そして、該補強板１の天板１ａには、端子蓋３３に被せたとき端子部３２内の各螺子孔３５に対応する位置に、段付螺子挿通孔２，２が開設されている。各段付螺子挿通孔２は、左右方向に長い楕円形状をなし、その内周面に段部２ａが設けられる。また、各段付螺子挿通孔２内の段部２ａから天板１ａの表面までの深さ寸法は、後記する固定螺子３（３ａ，３ｂ）の頭部４ａ，４ｂの高さ寸法よりも長く設定される。
【００１４】
第一・第二実施の形態に使用される固定螺子３は、図４（イ）（ロ）に示すように二種類あり、一つはステンレス製の通常の螺子３ａであって、図４（イ）に示すようにその頭部４ａは薄い寸法に設定され、その上面に十文字状の溝５ａが刻設されている。他の一つは、ステンレス製の特殊螺子３ｂであって、図４（ロ）に示すようにその頭部４ｂに取外防止手段としての特殊な溝５ｂが刻設されている。この特殊螺子３ｂは、マイナスのドライバーによって回すことにより、該特殊螺子３ｂが締められる方向にはドライバーの先端爪（図示せず。）が溝５ｂに引っ掛かり回転するが、緩める方向にはドライバーの先端爪が溝５ｂに引っ掛からずに回転し得ないようにその溝５ｂが形成されている。これは一般にワンサイド小螺子と称される。
【００１５】
第一実施の形態に係る発明は上記構成からなり、端子蓋３３から封印螺子を外した状態で、該端子蓋３３の表面に該表面を覆うようにして補強板１を重合する。そして、プラスのドライバーにより、補強板１の各段付螺子挿通孔２及び端子蓋３３の各螺子挿通孔３４を介して、端子部３２内の螺子孔３５に固定螺子３である通常の螺子３ａを螺合する。この際、各螺子３ａの頭部４ａは、各段付螺子挿通孔２から補強板１の外側へ突出しないようになっている。また、固定螺子３として通常の螺子３ａを使用する場合は、螺締した後に各螺子３ａの頭部４ａに取外防止手段としてドリルの先端を当て溝５ａを無くしておく。また、固定螺子３として前記特殊螺子３ｂを使用しても良い。
【００１６】
このように、第一実施の形態に係る発明は、端子蓋３３の表面が金属製の補強板１により覆われて保護され、しかも、固定螺子３は取外防止手段が施されていることから、固定螺子３、引いては端子蓋３３を常態では通常のドライバーによって取り外すことができなくなる。よって、端子蓋３３を故意にこじ開けることが困難となり、これにより不正行為が防止される。電力量計Ｄの定期的な検査にあたり、前記固定螺子３を取り外すに、頭部４ａの溝５ａを無くした通常の螺子３ａにあっては、再度ドリルの先端を頭部４ａに押し当てて該頭部４ａを取り除き端子蓋３３を取り外すようにする。また、ワンサイド螺子といった特殊螺子３ｂにあっては、特殊工具（図示せず。）により該特殊螺子３ｂを緩めて外し、端子蓋３３を取り外すようにする。
【００１７】
次に、第二実施の形態に係る発明について説明する。図５は第二実施の形態に係る発明が適用される電力量計の斜視図、図６は同分解斜視図、図７は同要部の側面断面図、図８は同要部の正面断面図である。
【００１８】
第二実施の形態に係る発明にあっては、前記第一実施の形態に係る発明に使用した補強板１と同様な補強板１１の表面に、更に後記する遮蔽金具１８を固着してなる。このため、第二実施の形態にあっては、補強板１１が通常、アルミニウム合金製又はステンレス製であって、端子蓋３３よりも一回り大きい長方形状に形成され、天板１１ａの一側縁（カバー部材側）を除いて他の周囲三側縁に側板１１ｂが周設されている。また、厚みは例えば２．５ｍｍに設定される。そして、該補強板１１の天板１１ａには、端子蓋３３に被せたとき端子部３２内の各螺子孔３５に対応する位置に、段付螺子挿通孔１２が開設される。各段付螺子挿通孔１２は、左右方向に長い楕円形状をなし、その内周面に段部１２ａが設けられる。また、各段付螺子挿通孔１２内の段部１２ａから天板１１ａの表面までの深さ寸法は、前記固定螺子３（３ａ，３ｂ）の頭部４ａ，４ｂの高さ寸法よりも長く設定される。
【００１９】
第二実施の形態に係る発明に使用される固定螺子３は、図４（イ）（ロ）に示すように第一実施の形態に係る発明と同じものが使用される。よって、これについての詳しい説明は省略する。補強板１１には、長手方向の両端部にそれぞれその端縁と平行な係止溝１６が穿設され、所定の位置すなわち一方の遮蔽金具１１の後記する立壁１９に近接させた位置に螺子孔１７が設けられている。
【００２０】
補強板１１の表面に固着される遮蔽金具１８は左右一対設けられ、しかも、左右対称形状をなす。そこで、説明上は一方の遮蔽金具１８について説明し、他の遮蔽金具１８については説明を省略する。該遮蔽金具１８は、ステンレス製であり長方形状の基板１８ａを有する。該基板１８ａは、長手方向の寸法が補強板１１の天板１１ａの長手方向の寸法の約半分の寸法となり、短手方向の寸法が補強板１１の天板１１ａの短手方向の寸法と略同じ寸法となる。そして、該基板１８ａの長手方向の一側縁に上方へ直角に折れ曲がる立壁１９が設けられ、該立壁１９に通孔２０が開設されている。
【００２１】
基板１８ａの他側縁には、下方へ直角に折れ曲がる係止片２１が設けられる。また、該係止片２１の一側縁、すなわち補強板１１の表面に固着したときカバー部材３１側の一側縁、の下端部に該カバー部材３１側へ延びる係合爪２２が設けられている。基板１８ａの短手方向の一側、すなわち、補強板１１の表面に固着したときカバー部材３１側とは反対側、の端縁に補強板１１側へ直角に折れ曲がる覆い壁２３が設けられている。一方の遮蔽金具１８には、立壁１９に近接させて螺子挿通孔１８ｂが開設されている。
【００２２】
図５、図６において、２４は前記両遮蔽金具１８の互いに近接して重なる立壁１９，１９に被せて両立壁１９，１９に外れないように施錠する防犯錠である。該防犯錠２４は、略立方体形状をなすと共に下面に前記両遮蔽金具１８の立壁１９を挿入する差込孔２５が開設され、上面には鍵２７を挿入する鍵穴２６が設けられる。そして、鍵穴２６に鍵２７を差し込むと共に該鍵２７を施錠又は開錠する方向へ回動することにより、前記差込孔２５の内周壁から施錠杆２８が該差込孔２５を横断するように出没するようになっている。そして、前記両立壁１９の通孔２０，２０に施錠杆２８を挿通して係合させることにより、両遮蔽金具１８，１８が施錠されしっかりと固定されるようになっている。
【００２３】
第二実施の形態に係る発明は上記構成からなり、まず、第一実施の形態に係る発明と同じように端子蓋３３から封印螺子を外した状態で、該端子蓋３３の表面に該表面を覆うようにして補強板１１を重合する。そして、プラスのドライバーにより、補強板１１の各段付螺子挿通孔１２及び端子蓋３３の各螺子挿通孔３４を介して、端子部３２内の螺子孔３５に固定螺子３である通常の螺子３ａを螺合する。この際、各螺子３ａの頭部４ａは、各段付螺子挿通孔１２から補強板１１の外側へ突出しないようになっている。また、固定螺子３として通常の螺子３ａを使用する場合は、螺締した後に各螺子３ａの頭部４ａにドリルの先端を当てて溝５ａを無くしておく。また、前記と同様に、固定螺子３として前記特殊螺子３ｂを使用しても良い。
【００２４】
端子蓋３３の表面に補強板１１を固着した状態では、該補強板１１の長手方向の両端部に設けた係止溝１６が端子蓋３３の同方向の端縁よりも外側に位置している。そして、この状態で補強板１１の表面に立壁１９が互いに近接し重なるようにして両遮蔽金具１８，１８を配置し、各遮蔽金具１８端部の係止片２１を表面側から各係止溝１６に挿入すると共に各係合爪２２を補強板１１の天板１１ａの裏面に係止させる。
【００２５】
そして、一方の遮蔽金具１８の螺子挿通孔１８ｂを介して該螺子挿通孔１８ｂと連通しかつ補強板１１に設けられた螺子孔１７に螺子２９を螺合する。この螺子２９は通常の螺子である。この螺子２９の頭部２９ａも皿状をなし、螺締したときその頭部２９ａが遮蔽金具１８の基板１８ａの上面より外側へ突出しないようになっている。更に、この状態で重なる両立壁１９，１９を差込孔２５に挿入して、防犯錠２４を両遮蔽金具１８，１８の表面に配置する。この際、一方の遮蔽金具１８に螺締した螺子２９の頭部２９ａが防犯錠２４により隠される。そして、防犯錠２４の錠穴２６に鍵２７を差し込んで、一方向へ回動させて施錠する。これにより、防犯錠２４がしっかりと固定され両立壁１９，１９から防犯錠２４が外れなくなり、同時に螺子２９も外せなくなる。
【００２６】
各遮蔽金具１８の基板の周縁には係止片２１、覆い壁２３が設けられ、各遮蔽金具１８を補強板１１の表面に配置固定したとき、係止片２１が補強板１１の内側に係止し、また、覆い壁２３によりカバー部材３１の反対側であって端子蓋３３の表面と各遮蔽金具１８との間の隙間も塞がれる。よって、マイナスのドライバーの先端爪をカバー部材３１の反対側から前記隙間に差し込むことができなくなり、遮蔽金具１８を故意にこじ開けることもできないことになる。なお、両遮蔽金具１８，１８のカバー部材３１側の端縁は、該カバー部材３１の外周面に接近しているので、その側の隙間からドライバーの先端爪を差し込むことは不可能である。
【００２７】
このように、第二実施の形態に係る発明にあっては、端子蓋３３の表面に金属製の補強板１１及び遮蔽金具１８、１８を重ねることにより、端子蓋３３が二重に覆われて保護される。すなわち、遮蔽金具１８を固定する螺子２９は、防犯錠２４により覆われて取り外すことができず、同時に固定螺子３も取外防止手段により簡単に取り外せなくなっている。よって、保護強化が増大され端子蓋３３を故意にこじ開けることが一層困難になる。これにより、不正行為防止効果が向上する。
【００２８】
図９（イ）乃至（ニ）は、第二実施の形態であって遮蔽金具の他の形状のものを示すものである。なお、いずれの遮蔽金具も第二実施の形態と基本的構成が同じなので、同一の部位は、同一の番号を附すことにより詳しい説明は省略する。図９（イ）の左右一対の遮蔽金具１８１，１８１は、左右対称形状をなす。そこで、説明上は一方の遮蔽金具１８１について説明し、他の遮蔽金具１８１については説明を省略する。該遮蔽金具１８１は、ステンレス製であり長方形状の基板１８１ａを有する。該基板１８１ａは、長手方向の寸法が補強板１１の天板１１ａの長手方向の寸法の約半分の寸法となり、短手方向の寸法が補強板１１の天板１１ａの短手方向の寸法と略同じ寸法となる。そして、該基板１８１ａの長手方向の一側縁に上方へ直角に折れ曲がる立壁１９１が設けられ、該立壁１９１に通孔２０が開設されている。基板１８１ａの他側縁には、下方へ直角に折れ曲がる係止片２１が設けられる。該係止片２１の一側縁、すなわち補強板１１の表面に固着したときカバー部材３１側の一側縁、の下端部に該カバー部材３１側へ延びる係合爪２２が設けられている。また、一方の遮蔽金具１８１には、立壁１９１に近接させて螺子挿通孔１８ｂが開設されている。この一対の遮蔽金具１８１，１８１も第二実施の形態と同様にして使用される。
【００２９】
図９（ロ）の左右の一対の遮蔽金具１８２，１８２も、ほぼ左右対称形状をなす。一方の遮蔽金具１８２は、ステンレス製であり長方形状の基板１８２ａを有する。該基板１８２ａは、長手方向の寸法が補強板１１の天板１１ａの長手方向の寸法の約半分の寸法となり、短手方向の寸法が補強板１１の天板１１ａの短手方向の寸法と略同じ寸法となる。そして、該基板１８２ａの長手方向の一側縁に上方へ直角に折れ曲がる立壁１９２が設けられ、該立壁１９２に通孔２０が開設されている。基板１８２ａの他側縁には、下方へ直角に折れ曲がる係止片２１が設けられる。また、該係止片２１の一側縁、すなわち補強板１１の表面に固着したときカバー部材３１側の一側縁、の下端部に該カバー部材３１側へ延びる係合爪２２が設けられている。一方の遮蔽金具１８２には、立壁１９２に近接させて螺子挿通孔１８ｂが開設されている。
【００３０】
また、両遮蔽金具１８２，１８２の基板１８２ａ，１８２ａの表面には、同じくステンレス製のＬ型の重ね板３８が固着される。この重ね板３８は基板１８２ａと同じ幅を有し、その一側端縁に基板１８２ａの立壁１９２から防犯錠２４が入り得る間隔を離して該立壁１９２と平行な受板３８ａが立設されている。ただ、防犯錠２４が一方へ偏って立壁１９，１９に被さって取着される関係上、各遮蔽金具１８２にあっては、立壁１９２から受板３８ａまでの間隔の寸法がそれぞれ異なっている。この一対の遮蔽金具１８２，１８２も第二実施の形態と同様にして使用される。
【００３１】
図９（ハ）の左右の一対の遮蔽金具１８３，１８３も、ほぼ左右対称形状をなす。これら遮蔽金具１８３，１８３は、図９（イ）に示した一対の遮蔽金具１８１，１８１と一部を除いて同一の構成からなる。すなわち、基板１８３ａの長手方向の一側縁に上方へ直角に折れ曲がる立壁１９３が設けられ、他側縁に下方に直角に折れ曲がる係止片２１が設けられる。そして、係止片２１に設けられた係止爪２２の向きが、図９（イ）に示した遮蔽金具１８１，１８１とは反対側に設けられ、遮蔽金具１８３を補強板１１の表面に取着したとき、係止爪２２がカバー部材３１とは反対側に突出している。この遮蔽金具１８３，１８３も、第二実施の形態と同様にして使用される。
【００３２】
図９（ニ）は、図９（イ）の左右の遮蔽金具１８１，１８１と、両遮蔽金具１８１，１８１の上面に覆うようにして重ねられる被覆板３９とから構成される。両遮蔽金具１８１，１８１については、前記のように構成されるので、同一部位は同一の番号を附しておく。被覆板３９は、両遮蔽金具１８１，１８１の表面に重ねられるので、ほぼ中央に近接して並置する両立壁１９１，１９１を挿通する長細状の通孔４０が横断状に設けられる。また、被覆板３９の短手方向の一方の端縁に、下方へ直角に折れ曲がる覆い壁４１が設けられる。そして、補強板１１の天板１１ａの上面に両遮蔽金具１８１，１８１を配置して固定した状態で、更に、両立壁１９１，１９１を通孔４０に挿通し、被覆板３９を両遮蔽金具１８１，１８１の表面に覆うようにして重ねる。更にまた、両立壁１９１，１９１を差込孔２５に挿入すると共に防犯錠２４を被覆板３９表面に配置し、防犯錠２４の錠穴２６に鍵２７を差し込んで施錠する。これにより、防犯錠２４がしっかりと固定され両立壁１９１，１９１から防犯錠２４が外れなくなり、同時に螺子挿通孔１８ｂに挿通された螺子２９も被覆板３９及び防犯錠２４により二重に覆われて外せなくなる。
【００３３】
図１０乃至図１２は端子部が大きい電力量計に、他の実施の形態に係る遮蔽金具を使用した状態を示すものである。この電力量計Ｄ１の端子部３２１は、図５乃至図６で示した電力量計Ｄよりも、その大きさが二倍程度あり、その端子蓋３３１も広さが二倍程度ある。よって、該端子蓋３３１の表面には、該端子蓋３３１に合った大きさの補強板１１１が固定螺子３（３ａ）を螺締して固着される。該補強板１１１の両端部には、カバー部材３１側に寄せて係止溝１６１が設けられている。
【００３４】
一方、遮蔽金具１８４，１８４は左右一対をなし、しかも、左右対称形状をなす。なお、両遮蔽金具１８４，１８４は、その構成が第二実施の形態に係る遮蔽金具１８と基本的に同じなので、同一部位は同一番号を附すことにより詳しい説明は省略する。また、説明上は一方の遮蔽金具１８４について説明し、他の遮蔽金具１８４については説明を省略する。該遮蔽金具１８４も、ステンレス製であり長方形状の基板１８４ａを有する。該基板１８４ａは、長手方向の寸法が補強板１１１の天板１１１ａの長手方向の寸法の約半分の寸法となり、短手方向の寸法が補強板１１１の天板１１１ａの短手方向の寸法のほぼ半部の寸法となる。そして、該基板１８４ａの長手方向の一側縁に、上方へ直角に折れ曲がる立壁１９４がその縁に沿った一方へ寄せて設けられ、該立壁１９４に通孔２０が開設されている。
【００３５】
基板１８４ａの他側縁には、下方へ直角に折れ曲がる係止片２１１と、該係止片２１１と並ぶようにして覆い壁２３１が設けられる。係止片２１１にはその一側、すなわちカバー部材３１と反対側に係止爪２２１が突設される。前記覆い壁２３１は、係止片２１１よりも少し外側へ位置しており、係止片２１１を係止溝１６１に差し込んだとき、覆い壁２３１が補強板１１１の側板１１１ｂの外側面に当接するようになっている。基板１８４ａの短手方向の一側縁には、その外側に位置して覆い壁２３２が設けられる。また、一方の遮蔽金具１８４には、立壁１９４に近接させて螺子挿通孔１８ｂが開設されている。
【００３６】
そこで、まず、第一実施の形態に係る発明と同じように端子蓋３３１から封印螺子を外した状態で、固定螺子３である通常の螺子３ａを用いて該端子蓋３３１の表面に補強板１１１を重合する。この際、各螺子３ａの頭部４ａは、各段付螺子挿通孔１２から補強板１１１の外側へ突出しないようになっている。また、通常の螺子３ａを使用する場合は、螺締した後に各螺子３ａの頭部４ａにドリルの先端を当てて溝５ａを無くしておく。また、前記と同様に、固定螺子３として前記特殊螺子３ｂを使用しても良い。
【００３７】
端子蓋３３１の表面に補強板１１１を固着した状態では、該補強板１１１の長手方向の両端部に設けた係止溝１６１，１６１が、端子蓋３３１の同方向の端縁よりも外側に位置している。そして、この状態で補強板１１１の表面に立壁１９４が互いに近接し重なるようにして両遮蔽金具１８４，１８４を配置し、各遮蔽金具１８４の係止片２１１を表面側から各係止溝１６１に挿入すると共に各係止爪２２１を補強板１１１の天板１１１ａの裏面に係止させる。この際、同時に各遮蔽金具１８４，１８４の覆い壁２３１，２３２が補強板１１１の外周面に当接する。
【００３８】
そして、一方の遮蔽金具１８４の螺子挿通孔１８ｂを介して、該螺子挿通孔１８ｂと連通しかつ補強板１１１に設けられた螺子孔１７に螺子２９を螺締する。螺締したとき、その頭部２９ａが遮蔽金具１８４の基板１８４ａの上面より外側へ突出しないようになっている。更に、この状態で重なる両立壁１９４，１９４を差込孔２５に挿入して、防犯錠２４を両遮蔽金具１８４，１８４の表面に配置する。この際、一方の遮蔽金具１８４に螺締した螺子２９の頭部２９ａが、防犯錠２４により隠される。そして、防犯錠２４の錠穴２６に鍵２７を差し込んで施錠する。これにより、防犯錠２４がしっかりと固定され両立壁１９４，１９４から防犯錠２４が外れなくなり、同時に螺子挿通孔１８ｂに挿通された螺子２９も防犯錠２４により覆われて外せなくなる。
【００３９】
前記いずれの実施の形態に係る発明においても、端子部３２，３２１の両側にそれぞれ螺子孔３５を二個設けた電力量計Ｄ，Ｄ１について説明したが、端子部３２，３２１に一個の螺子孔、すなわち、端子蓋に螺子挿通孔を一個設けた電力量計についても第一・第二実施の形態に係る発明が適用できる。また、図では補強板１１，１１１に設けた段付き螺子挿通孔１２を長孔として示したが、通常の円孔であっても良い。
【図面の簡単な説明】
【００４０】
【図１】第一実施の形態に係る発明が適用される電力量計の斜視図。
【図２】同分解斜視図。
【図３】同要部の側面断面図。
【図４】（イ）（ロ）は固定螺子の斜視図。
【図５】第二実施の形態に係る発明が適用される電力量計の斜視図。
【図６】同分解斜視図。
【図７】同要部の側面断面図。
【図８】同要部の正面断面図。
【図９】（イ）乃至（ニ）は他の実施の形態に係る遮蔽金具の斜視図。
【図１０】他の実施の形態に係る遮蔽金具が適用される電力量計の斜視図。
【図１１】同分解斜視図。
【図１２】同要部の側面断面図。
【符号の説明】
【００４１】
１            補強板
２            段付螺子挿通孔
３（３ａ）    固定螺子（通常の螺子）
３（３ｂ）    固定螺子（特殊螺子）
４ａ          頭部
４ｂ          頭部
１１          補強板
１２          段付螺子挿通孔
１６          係止溝
１９          立壁
２０          通孔
２２          係止爪
２４          防犯錠
２９          螺子
２９ａ        頭部
３２          端子部
３３          端子蓋
３５          螺子孔
Ｄ            電力量計
【図１】
0005080342.tif 000002
【図２】
0005080342.tif 000003
【図３】
0005080342.tif 000004
【図４】
0005080342.tif 000005
【図５】
0005080342.tif 000006
【図６】
0005080342.tif 000007
【図７】
0005080342.tif 000008
【図８】
0005080342.tif 000009
【図９】
0005080342.tif 000010
【図１０】
0005080342.tif 000011
【図１１】
0005080342.tif 000012
【図１２】
0005080342.tif 000013